(57)【要約】【課題】ＳＩＰに従って指令卓から複数のＩＰ電話機に対して一斉指令放送を行う、或いはＳＩＰに従って複数の指令卓から同時に一のＩＰ電話機に対して一斉指令放送を行うことを可能にする通信指令システムを提供する。【解決手段】指令卓１０からの発呼要求を受けて、ＩＰ通信指令交換機１００がＮＯＴＩＦＹ（ＩＮＣ）メッセージをＩＰ電話機２０に送信することで、ＩＰ通信指令交換機１００を介して指令卓１０とＩＰ電話機２０との間に片方向通信路が確立され、一斉指令放送の音声情報が当該片方向通信路を介して指令卓１０からＩＰ電話機２０に送信される。【選択図】図１
2010177814.tif 000002
【特許請求の範囲】
【請求項１】
一斉指令放送送信側の指令卓と、当該一斉指令放送受信側の複数のＩＰ電話機との間に接続されるＩＰ通信指令交換機であって、
前記指令卓からの所定の指令グループが指定された一斉指令放送の開始要求に応じて、前記指令卓との片方向通信路の確立要求を示すＮＯＴＩＦＹ（ＩＮＣ）メッセージをＳＩＰに従って前記指令グループに属する各ＩＰ電話機に送信するともに、当該ＮＯＴＩＦＹ（ＩＮＣ）メッセージに対する応答を示す２００ＯＫ及びＩＮＶＩＴＥメッセージをＩＰ電話機から受信したことに対応して、当該応答メッセージの送信元の各ＩＰ電話機が備える各音声出力手段との間に片方向通信路をそれぞれ確立し、確立された前記各片方向通信路を介して前記指令卓からの一斉指令放送に係る音声情報をＳＩＰに従って前記各音声出力手段に出力することを特徴とするＩＰ通信指令交換機。
【請求項２】
請求項１に記載のＩＰ通信指令交換機において、
前記片方向通信路が確立されたいずれか一のＩＰ電話機から前記片方向通信路が確立された前記指令卓との双方向通信路の確立要求を示すＮＯＴＩＦＹ（ＡＮＳ）メッセージをＳＩＰに従って受信したことに対応して、当該一のＩＰ電話機が備える送受話手段と前記指令卓との間に双方向通信路を確立し、当該一のＩＰ電話機と前記指令卓との間の双方向通信を実行することを特徴とするＩＰ通信指令交換機。
【発明の詳細な説明】
【技術分野】
【０００１】
本発明は、指令卓より指定された任意の指令電話子機に対して一斉指令放送を行う通信指令システムに関する。
【背景技術】
【０００２】
一斉指令放送とは、構内交換機に収容されている電話端末或いは一斉指令専用端末から、他の構内交換機に収容されている複数の電話端末の全て、或いはそれらの電話端末のうち、任意に指定されたいくつかの電話端末に対する片方向通信のことをいう。
【０００３】
特許文献１には、指令卓と複数の電話機とを接続する構内交換機が、指令卓と指令グループ毎に収容された電話機とが通話中状態になると、指令グループ毎に収容された電話機の各々に通話中状態であることを表示させる技術が開示されている。
【０００４】
特許文献２には、一斉指令放送中に、指令電話子機からの要求により指令卓との双方向通信を確立する技術が開示されている。
【０００５】
ところで、近年、インターネットの急速な普及に伴い、ＩＰネットワークを介してＳＩＰ（Ｓｅｓｓｉｏｎ  Ｉｎｉｔｉａｔｉｏｎ  Ｐｒｏｔｏｃｏｌ）に従った呼制御を行うＩＰ電話システムが注目されており、一斉指令放送を行う通信指令システムをＳＩＰに従ったシステムにおいて提供することへの関心も高まっている。
【０００６】
特許文献３には、一斉指令放送を行うシステムではないが、同一のグループライン（マルチライン）を収容する端末において、当該グループラインへの着呼に対していずれかの端末で応答、保留、保留解除、代理応答などを行うサービスをＳＩＰベースのＶｏＩＰシステムで提供するシステムについて開示されている。
【０００７】
特許文献４には、ページング（一斉放送）やＭＯＨ（Ｍｕｓｉｃ  Ｏｎ  Ｈｏｌｄ：保留音）などの送信データをマルチキャストパケットとして送信するＶｏＩＰシステムについて開示されている。
【先行技術文献】
【特許文献】
【０００８】
【特許文献１】特開２００４−９６６８１号公報
【特許文献２】特開２００６−３３３３０７号公報
【特許文献３】特開２００８−４８１８０号公報
【特許文献４】特開２００５−６００４号公報
【発明の概要】
【発明が解決しようとする課題】
【０００９】
一斉指令放送を行う通信指令システムは、例えば、鉄道会社の各主要駅に対して指令を行う際に利用され、使用形態として、指令卓から複数の指令電話子機に対して一斉指令放送が行われる場合や、複数の指令卓から一台の指令電話子機に対して異なる一斉指令放送が行われる場合がある。
【００１０】
ところが、ＳＩＰ標準シーケンスに基づいてＩＰ電話機への呼び出しを行う場合、図１８に示すようなシーケンスとなり、従来、ＳＩＰに従ったシステムで通信指令システムを構築しようとすると、上記の使用形態を容易に実現することはできなかった。
【００１１】
すなわち、図１８において、発信端末ＣからのＩＮＶＩＴＥメッセージに応じて（Ｓ１）、ＩＰ交換機は、指定された着信側の各端末Ａ，Ｂ（以下、「着信端末」と称す）にＩＮＶＩＴＥメッセージを送信し（Ｓ２）、着信端末Ａ，ＢからＩＰ交換機に１００Ｔｒｙｉｎｇメッセージ、１８０Ｒｉｎｇｉｎｇメッセージの順に送信（Ｓ３，Ｓ４）することで、着信制御を行う。さらに、着信端末Ａが、ＩＰ交換機に着信応答メッセージとして２００ＯＫ（ＩＮＶＩＴＥ）メッセージを送信し（Ｓ５）、ＩＰ交換機からＡＣＫ（ＩＮＶＩＴＥ）メッセージを受信することで、呼が確立される。一方、応答しない他の着信端末Ｂには、ＩＰ交換機からＣＡＮＥＣＥＬメッセージが送信され（Ｓ６）、ＣＡＮＥＣＥＬメッセージを受信した着信端末Ｂは、２００ＯＫ（ＣＡＮＣＥＬ）メッセージ、４８７Ｒｅｑｕｅｓｔ  Ｔｅｒｍｉｎａｔｅｄメッセージの順に送信する（Ｓ７，Ｓ８）。次いでその応答として着信端末Ｂは、ＩＰ交換機からＡＣＫ（４８７Ｒｅｑｕｅｓｔ  Ｔｅｒｍｉｎａｔｅｄ）メッセージを受信することで、呼が開放される（Ｓ９）。つまり、着信端末ＡがＩＰ交換機からのＩＮＶＩＴＥメッセージに対して応答メッセージを送信した場合、他の着信端末Ｂについては呼が開放されてしまう。したがって、ＳＩＰ標準シーケンスに従った場合、一つのＩＮＶＩＴＥメッセージにより複数のＩＰ電話機に対して一斉呼び出しを行ったとしても同時に複数のＩＰ電話機が応答することはできない。
【００１２】
さらに、図１８において、発信端末ＣとＩＰ電話機Ａが通話状態のときに、発信端末ＤからＩＰ交換機を介してＩＰ電話機Ａが新たなＩＮＶＩＴＥメッセージを受信した場合（Ｓ１０，Ｓ１１）、ＩＰ電話機Ａは、ビジー信号として４８６ＢｕｓｙＨｅｒｅメッセージをＩＰ交換機に送信し（Ｓ１２）、ＩＰ交換機も発信端末Ｄに対して４８６ＢｕｓｙＨｅｒｅメッセージを送信し、呼が開放される（Ｓ１３）。つまり、着信端末Ａが他の発信端末と通話状態の時に新たなＩＮＶＩＴＥメッセージを受信したとしても、そのＩＮＶＩＴＥメッセージに基づく呼が確立できない。したがって、ＳＩＰ標準シーケンスに従った場合、ＩＰ電話機は同時期に複数の指令卓からの複数の一斉指令放送を受信することができない。
【００１３】
以上のように、標準ＳＩＰシーケンスに基づいてＩＰ電話機への呼び出しを行う場合、
発信端末からのＩＮＶＩＴＥメッセージに対して複数のＩＰ電話機が同時に応答して一斉指令放送を受信することや、一斉指令放送を受信中のＩＰ電話機が、新たな一斉指令放送の開始に伴う新たなＩＮＶＩＴＥメッセージに対して着呼応答を示すメッセージを送信することはできない。
【００１４】
本発明は、ＳＩＰに従って指令卓から複数のＩＰ電話機に対して一斉指令放送を行う、或いはＳＩＰに従って複数の指令卓から同時に一のＩＰ電話機に対して一斉指令放送を行うことを可能にする通信指令システムを提供することを目的とする。
【課題を解決するための手段】
【００１５】
本発明に係るＩＰ通信指令交換機は、一斉指令放送送信側の指令卓と、当該一斉指令放送受信側の複数のＩＰ電話機との間に接続されるＩＰ通信指令交換機であって、前記指令卓からの所定の指令グループが指定された一斉指令放送の開始要求に応じて、前記指令卓との片方向通信路の確立要求を示すＮＯＴＩＦＹ（ＩＮＣ）メッセージをＳＩＰに従って前記指令グループに属する各ＩＰ電話機に送信するとともに、当該ＮＯＴＩＦＹ（ＩＮＣ）メッセージに対する応答を示す２００ＯＫ及びＩＮＶＩＴＥメッセージをＩＰ電話機から受信したことに対応して、当該応答メッセージの送信元の各ＩＰ電話機が備える各音声出力手段との間に片方向通信路をそれぞれ確立し、確立された前記各片方向通信路を介して前記指令卓からの一斉指令放送に係る音声情報をＳＩＰに従って前記各音声出力手段に出力することを特徴とする。
【００１６】
本発明に係るＩＰ通信指令交換機によれば、指令卓との片方向通信路の確立要求を示すＮＯＴＩＦＹ（ＩＮＣ）メッセージが複数のＩＰ電話機に送信され、複数のＩＰ電話機が当該ＮＯＴＩＦＹメッセージ（ＩＮＣ）に応答することで、指令卓と複数のＩＰ電話機の音声出力手段との間にそれぞれ片方向通信路が確立され、一斉指令放送が実現されるので、複数のＩＰ電話機が同時に同一の一斉指令放送を受信することができる。
【００１７】
本発明に係るＩＰ通信指令交換機の一つの態様では、前記片方向通信路が確立されたいずれか一のＩＰ電話機から前記片方向通信路が確立された前記指令卓との双方向通信路の確立要求を示すＮＯＴＩＦＹ（ＡＮＳ）メッセージをＳＩＰに従って受信したことに対応して、当該一のＩＰ電話機が備える送受話手段と前記指令卓との間に双方向通信路を確立し、当該一のＩＰ電話機と前記指令卓との間の双方向通信を実行することを特徴とする。
【００１８】
本発明に係るＩＰ通信指令交換機の一つの態様によれば、片方向通信路が確立されたＩＰ電話機から指令卓との双方向通信路の確立要求を示すＮＯＴＩＦＹ（ＡＮＳ）メッセージをＳＩＰに従って受信したことに対応して、当該ＩＰ電話機が備える送受話手段と指令卓との間に双方向通信路が確立され、当該ＩＰ電話機と当該指令卓との間の双方向通信が実現されるので、一斉指令放送受信中のＩＰ電話機が当該一斉指令放送の送信元の指令卓と必要に応じて通話を実現することができる。
【発明の効果】
【００１９】
本発明によれば、指令卓との片方向通信路の確立指示を示すＮＯＴＩＦＹメッセージが複数のＩＰ電話機に送信され、複数のＩＰ電話機が当該ＮＯＴＩＦＹメッセージに応答することで、指令卓と複数のＩＰ電話機の音声出力手段との間にそれぞれ片方向通信路が確立され、指令卓からの一斉指令放送が実現されるので、複数のＩＰ電話機が同時に同一の一斉指令放送を受信することができる。
【図面の簡単な説明】
【００２０】
【図１】本実施形態に係る通信指令システムの全体構成を示すブロック図である。
【図２】各回線接続制御ボードに割り当てられる各指令グループ番号が各回線接続制御ボードの収容位置と関連付けて登録される回線接続制御ボード管理テーブルの一例を示す図である。
【図３】ＳＩＰ電話機制御ボードに収容される各ＩＰ電話機の内線番号がＳＩＰ電話機制御ボードの収容位置と関連付けて登録されるＳＩＰ電話機制御ボード管理テーブルの一例を示す図である。
【図４】ＩＰ電話機に割り当てられた内線番号ごとに各ＩＰ電話機が備えるボタンのボタン種別に関する設定内容が示されるＩＰ電話管理テーブルの一例を示す図である。
【図５】指令グループ番号ごとに指令グループに属する内線番号が示される指令グループ管理テーブルの一例を示す図である。
【図６】各回線接続制御ボードに接続された回線の状態および使用内線番号が回線接続制御ボードの収容位置と関連付けて登録される回線収容位置状態テーブルの一例を示す図である。
【図７】本実施形態に係るＩＰ電話機の外観平面図を示す図である。
【図８】本実施形態に係るＩＰ電話機の機能ブロックを示す図である。
【図９】ＩＰ電話機が通信指令システムにログインする際に実行されるＩＰ電話機の初期設定に関わるシーケンスを示す図である。
【図１０】ＮＯＴＩＦＹ（Ｉｎｉｔ）メッセージのボディ部に記述される内容について説明するための図である。
【図１１】回線の状態など局データの一部に変更が生じた場合にＩＰ通信指令交換機とＩＰ電話機との間でやりとりされるシーケンスを示す図である。
【図１２】指令卓から一斉指令放送の要求を受けた場合におけるＩＰ通信指令交換機とＩＰ電話機との間のシーケンスを示す図である。
【図１３】各種ＮＯＴＩＦＹメッセージのボディ部に記述される内容について説明するための図である。
【図１４】一の指令卓からの一斉指令放送を受信中のＩＰ電話機が新たに他の指令卓から一斉指令放送を行うための発呼をＩＰ通信指令交換機に対して行った場合の他の指令卓とＩＰ電話機との間のシーケンスを示す図である。
【図１５】一斉指令放送を受信中のＩＰ電話機からの要求で一斉指令放送を送信中の指令卓との間に双方向通信路を確立し、指令卓とＩＰ電話機との間で通話を実現する場合の指令卓とＩＰ電話機との間のシーケンスを示す図である。
【図１６】ＩＰ電話機から一斉指令放送の送信先の指令卓との通話の要求があった際の中央制御装置の処理手順を示すフローチャートである。
【図１７】中央制御装置による回線状態通知制御の処理手順を示すフローチャートである。
【図１８】ＳＩＰ標準シーケンスに基づいてＩＰ電話機への呼び出しを行う場合の発信端末とＩＰ交換機間、及びＩＰ交換機と着信端末間のそれぞれのシーケンスを示す図である。
【発明を実施するための形態】
【００２１】
本発明を実施するための形態（以下、「実施形態」と称す）について、以下図面を用いて説明する。
【００２２】
図１は、本実施形態に係る通信指令システムの全体構成を示すブロック図である。本実施形態に係る通信指令システムは、例えば鉄道会社の統合司令室から各主要駅への指令を行うシステム等に適用される。
【００２３】
本実施形態において、指令卓１０は、ＳＩＰに従って、ＩＰ通信指令交換機１００を介してＩＰ電話機２０と片方向通話路を確立して、一斉指令放送を行うとともに、ＩＰ電話機２０からの要求に応じて双方向通話路を確立し、通話を行う。
【００２４】
本実施形態に係る通信指令システムは、詳細は後述するが、ＩＰ電話機２０に対する一斉指令放送に関する発呼をＳＩＰ標準シーケンスのようにＩＮＶＩＴＥメッセージではなく、予めイベント内容が定義されたＮＯＴＩＦＹ（ＩＮＣ）メッセージで行うことを特徴とする。本実施形態に係る通信指令システムでは、指令卓１０からの発呼要求を受けて、ＩＰ通信指令交換機１００がＮＯＴＩＦＹ（ＩＮＣ）メッセージをＩＰ電話機２０に送信することで、ＩＰ通信指令交換機１００を介して指令卓１０とＩＰ電話機２０との間に片方向通信路が確立され、一斉指令放送の音声情報が当該片方向通信路を介して指令卓１０からＩＰ電話機２０に送信される。
【００２５】
図１において、ＩＰ通信指令交換機１００は、鉄道会社の統合司令室等に設置され、アナログ或いはデジタル公衆網、アナログ或いはデジタル専用線網等の網１２−１〜１２−３（総称：網１２）を介して指令卓１０―１〜１０−３（総称：指令卓１０）を収容する。さらに、ＩＰ通信指令交換機１００は、ＩＰ網３０を介してＩＰ電話機２０−１〜２０−３（総称：ＩＰ電話機２０）を収容する。各ＩＰ電話機２０−１〜２０−３は、各指令卓１０からの指令を受ける路線毎の各主要駅等に設置される。
【００２６】
ＩＰ通信指令交換機１００は、通話路スイッチ（ＴＳＷ）１１０と、中央制御装置１２０と、記憶装置１３０と、制御バス１４０と、ＳＩＰ電話機制御ボード（ＳＩＰＬ）２２と、回線接続制御ボード（ＴＲＫ）１４−１〜１４−３（総称：回線接続制御ボード１４）とを備える。
【００２７】
中央制御装置１２０は、記憶装置１３０に記憶された各種プログラムを実行することで、制御バス１４０を介してＩＰ通信指令交換機１００全体を制御する。記憶装置１３０は、中央制御装置１２０と制御バス１４０を介して接続される。記憶装置１３０は、指令卓１０とＩＰ電話機２０との間の片方向通話路或いは双方向通話路の確立や切断、これら通話路を介した音声情報等の中継を制御するための交換制御プログラムなどを記憶する。さらに、記憶装置１３０は、交換制御プログラムに基づく制御を行う際に中央制御装置１２０によって参照される局データ等の制御データを記憶する。また、記憶装置１３０は、各種プログラムを実行する際に中央制御装置１２０によって利用されるデータを一時的に記憶する。
【００２８】
通話路スイッチ１１０は、中央制御装置１２０と制御バス１４０とを介して接続され、中央制御装置１２０の制御により、指令卓１０とＩＰ電話機２０との間の片方向通話路或いは双方向通話路の確立や切断等を行う。
【００２９】
ＳＩＰ電話機制御ボード２２は、ＳＩＰ接続制御手段として機能し、ＳＩＰに従ってＩＰ電話機２０との間のデータの送受信を制御するインタフェースである。ＳＩＰ電話機制御ボード２２は、接続ケーブル３２を介してＩＰ網３０に接続される。なお、各ＩＰ電話機２０は接続ケーブル３４−１〜３４−３（総称：接続ケーブル３４）を介してＩＰ網３０に接続される。
【００３０】
ＳＩＰ電話機制御ボード２２は、ＩＰ網３０を介してＩＰ電話機２０から受信した、着呼に対する応答メッセージ、発呼要求メッセージや切断要求メッセージなどのＳＩＰ呼制御情報、ＩＰ電話機２０に設けられた各種ボタンの操作内容を示すボタン操作情報等を中央制御装置１２０に通知する。さらに、ＳＩＰ電話機制御ボード２２は、中央制御装置１２０から通知される、着呼通知メッセージ、切断通知メッセージなどのＳＩＰ呼制御情報、ＩＰ電話機２０に設けられた各種ボタンのランプ点灯や点滅、消灯などのボタンの制御内容を示すボタン制御情報等をＩＰ網３０を介してＩＰ電話機２０に送信し、ＩＰ電話機２０の呼接続や切断、ランプ動作制御等を行う。
【００３１】
回線接続制御ボード１４は、ＩＰ通信指令交換機１００を網１２に接続するためのインタフェースである。回線接続制御ボード１４は、不図示のマイクロコンピュータを内蔵し、マイクロコンピュータの制御に基づき、網１２を介して指令卓１０から受信した、一斉指令放送の開始を要求する発呼要求メッセージや切断要求メッセージなどの呼制御情報を中央制御装置１２０に通知する。さらに、回線接続制御ボード１４は、中央制御装置１２０から通知される、着呼通知メッセージ、切断通知メッセージなどの呼制御情報を網１２を介して指令卓１０に送信し、指令卓１０の呼接続や切断等の制御を行う。なお、本実施形態では、回線接続制御ボード１４−１が指令卓１０−１を制御し、回線接続制御ボード１４−２が指令卓１０−２を制御し、回線接続制御ボード１４−３が指令卓１０−３を制御するものとして説明する。
【００３２】
続いて、図２〜図６を参照して、記憶装置１３０に記憶される制御データについて説明する。図２〜図６に示すテーブルは、それぞれ予め呼制御時の条件として記憶装置１３０に記憶されている局データの一部である。
【００３３】
図２は、各回線接続制御ボード１４に割り当てられる各指令グループ番号が各回線接続制御ボード１４の収容位置と関連付けて登録される回線接続制御ボード管理テーブルの一例を示す。
【００３４】
図３は、ＳＩＰ電話機制御ボード２２に収容される各ＩＰ電話機の内線番号がＳＩＰ電話機制御ボード２２の収容位置と関連付けて登録されるＳＩＰ電話機制御ボード管理テーブルの一例を示す。
【００３５】
図４は、ＩＰ電話機２０に割り当てられた内線番号ごとに各ＩＰ電話機が備えるボタンのボタン種別に関する設定内容が示されるＩＰ電話管理テーブルの一例を示す。
【００３６】
図５は、指令グループ番号ごとに指令グループに属する内線番号が示される指令グループ管理テーブルの一例を示す。
【００３７】
図６は、各回線接続制御ボード１４に接続された回線の状態および使用内線番号が回線接続制御ボード１４の収容位置と関連付けて登録される回線収容位置状態テーブルの一例を示す。
【００３８】
続いて、ＩＰ電話機２０の構成について説明する。
【００３９】
図７は、本実施形態に係るＩＰ電話機２０の外観平面図を示す。図７に示すように、ＩＰ電話機２０は、回線接続時に通話を行う送受話器１、発呼元の電話番号等を表示するディスプレイ２、着信時に呼び出し音（リングバックトーン）の拡声出力、一斉指令放送の音声情報の拡声出力を行う音声出力手段として機能するスピーカ３、一斉指令放送中の指令卓１０との通話を要求する際に押下される指令ボタン５−１〜５−４と、各指令ボタン５−１〜５−４に対応付けて設けられ、一斉指令放送の着信、自台使用中、他台使用中、空き、保留中などの状態を点灯色の変更や明滅等により表示するランプ６−１〜６−４とを備える。
【００４０】
図８は、ＩＰ電話機２０の機能ブロックを示す。図８に示すように、ＩＰ電話機２０は、電話機全体を制御するＣＰＵ２１０、各処理プログラムを記憶するＲＯＭ２１２、各処理プログラムの実行時に使用されるＲＡＭ２１４を備える。また、ＩＰ電話機２０は、ＩＰ通信指令交換機１００から受信した音声情報をミキシングしてスピーカ３から拡声出力するミキシング回路２２０を備える。さらに、ＩＰ電話機２０は、ＩＰ通信指令交換機１００とＩＰ網３０とを介して接続され、ＩＰ通信指令交換機１００との間に論理チャネルを確立する通信インタフェース２３１と、送受話器１との通信インタフェースとなる送受話器インタフェース２３２と、スピーカ３とＣＰＵ２１０とのインタフェースとなるスピーカインタフェース２３３と、指令ボタン５等のＩＰ電話機２０が有する各種ボタンとＣＰＵ２１０とのインタフェースとなるボタンインタフェース２３４と、各ランプ６とＣＰＵ１０とのインタフェースとなるランプインタフェース２３５と、ディスプレイ２とＣＰＵ２１０とのインタフェースとなる表示インタフェース２３６と、を備える。加えて、ＩＰ電話機２０は、上記の各インタフェースとＣＰＵ２１０を接続するための入出力インタフェース２３０を備える。
【００４１】
このように構成されたＩＰ電話機２０において、ＣＰＵ２１０は、ＩＰ通信指令交換機１００から一斉指令放送の着信通知メッセージを通信インタフェース２３１を介して受信し、その着信通知メッセージの受信に対応して、一斉指令放送用の音声情報をミキシング回路２２０でミキシングした後スピーカ３から拡声出力する。
【００４２】
続いて、ＩＰ通信指令交換機１００とＩＰ電話機２０との間のシーケンスを基に、本実施形態に係る通信指令システムの動作手順について説明する。
【００４３】
まず、図９は、ＩＰ電話機２０が通信指令システムにログインする際に実行されるＩＰ電話機の初期設定に関わるシーケンスである。当該シーケンスは、例えば、ＩＰ電話機２０がＩＰ網３０に接続された際に実行される。
【００４４】
図９において、ＩＰ電話機２０は、ＩＰ網３０に接続されると、ＩＰ通信指令交換機１００に対して、まず認証情報が付与されていないＲＥＧＩＳＴＥＲメッセージを送信する（Ｓ２０）。ＩＰ通信指令交換機１００は、ＳＩＰ電話機制御ボード（ＳＩＰＬ）２２においてＲＥＧＩＳＴＥＲメッセージを受信する。ＳＩＰ電話機制御ボード２２は、受信したＲＥＧＩＳＴＥＲメッセージが認証付きではないため、４０１  ＵｎａｕｔｈｏｒｉｚｅｄメッセージをＩＰ電話機２０に送信する（Ｓ２２）。
【００４５】
ＩＰ電話機２０は、４０１  Ｕｎａｕｔｈｏｒｉｚｅｄメッセージを受けて、予めＲＯＭ２１２等に記憶されているユーザＩＤやパスワード等に基づいて認証情報を生成し、生成した認証情報を付与したＲＥＧＩＳＴＥＲ（認証付）メッセージを送信する（Ｓ２４）。続いて、ＳＩＰ電話機制御ボード２２は、中央制御装置１２０にＩＰ電話機２０のログイン処理を要求するためのログイン通知メッセージを送信する（Ｓ２６）。中央制御装置１２０は、ログイン通知メッセージに示される認証情報に基づいてＩＰ電話機２０の認証を行う。中央制御装置１２０は、認証に成功した場合には、ＳＩＰ電話機制御ボード２２にログイン許可メッセージを送信し（Ｓ２８）、ログイン許可メッセージを受信したＳＩＰ電話機制御ボード２２はＩＰ電話機２０に対して２００  ＯＫメッセージを送信する（Ｓ３０）。
【００４６】
続いて、ＩＰ電話機２０は、指令ボタンに対応する指令グループ番号及び当該指令ボタンに関連付けられた回線の状態を示す回線ボタン情報を要求するために、ＳＩＰ電話機制御ボード２２に対してＮＯＴＩＦＹ（ＩｎｉｔＲｅｑ）メッセージを送信する。ＳＩＰ電話機制御ボード２２は、ＮＯＴＩＦＹ（ＩｎｉｔＲｅｑ）メッセージを受けて、中央制御装置１２０に対して回線ボタン情報要求を行うとともに（Ｓ３４）、２００  ＯＫメッセージをＩＰ電話機２０に送信する（Ｓ３６）。回線ボタン情報要求を受けた中央制御装置１２０は、図３に示すＳＩＰ電話機制御ボード管理テーブル、図４に示すＩＰ電話管理テーブル及び図６に示す回線収容位置状態テーブルを参照してＩＰ電話機２０に対応する回線ボタン情報を生成し、回線ボタン情報をＳＩＰ電話機制御ボード２２に通知する（Ｓ３８）。ＳＩＰ電話機制御ボード２２は、通知された回線ボタン情報の内容がボディ部に記述されたＮＯＴＩＦＹ（Ｉｎｉｔ）メッセージをＩＰ電話機２０に送信する（Ｓ４０）。ＩＰ電話機２０は、ＮＯＴＩＦＹ（Ｉｎｉｔ）メッセージの受信に対応して、２００  ＯＫメッセージをＳＩＰ電話機制御ボード２２を送信し（Ｓ４２）、ＮＯＴＩＦＹ（Ｉｎｉｔ）メッセージに記述された回線ボタン情報に基づいて回線と指令ボタンとの関連付けなどの初期設定を行う。なお、ＮＯＴＩＦＹ（Ｉｎｉｔ）メッセージのボディ部に記述される回線ボタン情報の一例を図１０に示す。図１０において、「Ｋｅｙ」にはＩＰ電話機２０に搭載された指令ボタンのボタン種別、「Ｇｒｐ」には指令グループ番号、「Ｓｔｓ」には割り付けられた回線の状態がそれぞれ示される。
【００４７】
図１１は、回線の状態など局データの一部に変更が生じた場合にＩＰ通信指令交換機１００とＩＰ電話機２０との間でやりとりされるシーケンスを示す。
【００４８】
図１１において、中央制御装置１２０は、局データの一部に変更が生じた場合、ＳＩＰ電話機制御ボード２２に対して回線ボタン情報を通知する（Ｓ５０）。ＳＩＰ電話機制御ボード２２は、その通知を受けて、ログイン時と同様に、通知された回線ボタン情報の内容がボディ部に記述されたＮＯＴＩＦＹ（Ｉｎｉｔ）メッセージをＩＰ電話機２０に送信する（Ｓ５２）。ＩＰ電話機２０は、ＮＯＴＩＦＹ（Ｉｎｉｔ）メッセージの受信に対応して、２００  ＯＫメッセージをＳＩＰ電話機制御ボード２２に送信し（Ｓ５４）、ＮＯＴＩＦＹ（Ｉｎｉｔ）メッセージに記述された回線ボタン情報に基づいて、対応する指令ボタンのランプの状態を回線ボタン情報で示された状態となるように点灯状態を変更する。
【００４９】
続いて、指令卓１０から一斉指令放送の要求を受けた場合におけるＩＰ通信指令交換機１００とＩＰ電話機２０との間のシーケンスについて説明する。
【００５０】
図１２は、指令卓１０−１からＩＰ電話機２０−１，２０−２に対して一斉指令放送が行われる際のＩＰ通信指令交換機１００とＩＰ電話機２０−１，２０−２との間のシーケンスを示す。
【００５１】
図１２において、指令卓１０−１が一斉指令放送を行うための発呼をＩＰ通信指令交換機１００に対して行うと、その発呼を網１２−１を介して回線接続制御ボード１４−１が検出して、中央制御装置１２０に通知する（Ｓ２００）。着信検出メッセージを受けた中央制御装置１２０は、図２に示すような回線接続制御ボード管理テーブルを参照して、中央制御装置１２０は、回線接続制御ボード１４−１の収容位置に対応する指令グループ番号を特定する。さらに、中央制御装置１２０は、図５に示すような指令グループ管理テーブルを参照して、特定された指令グループ番号に属するＩＰ電話機２０の内線番号（２００，２０１）を特定し、さらに図３に示すようなＳＩＰ電話機制御ボード管理テーブルを参照して、各内線番号に対応するＳＩＰ電話機制御ボード２２の収容位置（ＳＩＰＬ００１）を特定する。
【００５２】
次いで、中央制御装置１２０は、通話路スイッチ１１０を制御して、回線接続制御ボード（ＴＲＫ００１）１４−１とＳＩＰ電話機制御ボード（ＳＩＰ００１）２２−１との通話路を確立する。通話路の確立後、中央制御装置１２０は、特定した各ＩＰ電話機に対して着信があったことを通知するための回線状態通知（着信）メッセージをＳＩＰ電話機制御ボード２２に送信する（Ｓ２０１）。
【００５３】
回線状態通知（着信）メッセージを受信したＳＩＰ電話機制御ボード２２は、着信先のＩＰ電話機２０−１，２０−２（２００，２０１）に対して、一斉指令放送用の音声情報の通信路となる片方向通信路を確立するために着信を通知するメッセージとして、ＮＯＴＩＦＹ（ＩＮＣ）メッセージを送信する（Ｓ２０２）。図１３の（ａ）に、ＮＯＴＩＦＹ（ＩＮＣ）メッセージのボディ部に示される内容の一例を示す。図１３の（ａ）において、「Ｇｒｐ」には着信先の指令グループ番号、「ｏｄｎｋｉｄ」には発信元番号種別、「ｏｄｎ」には発信元番号がそれぞれ示される。なお、図１３の（ｂ）、（ｃ）、（ｄ）に示すＮＯＴＩＦＹメッセージについても同様である。
【００５４】
ＮＯＴＩＦＹ（ＩＮＣ）メッセージを受信した各ＩＰ電話機２０−１，２０−２は、ＮＯＴＩＦＹ（ＩＮＣ）メッセージに示された指令グループ番号と発信元番号とに基づいて、該当する指令グループ番号に対応する指令ボタンのランプを着信表示させると共に、ＩＰ電話機のディスプレイに発信元番号を表示する。さらに、ＮＯＴＩＦＹ（ＩＮＣ）メッセージを受信した各ＩＰ電話機２０−１，２０−２は、２００  ＯＫメッセージをＳＩＰ電話機制御ボード２２に送信する（Ｓ２０３）。ＳＩＰ電話機制御ボード２２は、各ＩＰ電話機２０−１，２０−２からの各２００  ＯＫメッセージの受信することで、それぞれのＩＰ電話機に一斉指令の着信表示がされたことを認識する。この時ＳＩＰ電話機制御ボード２２は、２００  ＯＫメッセージを受信したＩＰ電話機の情報として、着信完了通知を中央制御装置１２０に送信する（Ｓ２０５）。この着信完了通知情報を受信することで、ＩＰ指令交換機１００は、対象となるＩＰ電話機２０−１，２０−２が一斉指令着信状態となったことを認識する。
【００５５】
次に、片方向通話（一斉指令放送）にする場合について、ＩＰ電話機２０−１（２００）と、ＩＰ電話機２０−２（２０１）を２つのパターンで説明する。まず、ＩＰ電話機２０−１（２００）の場合は、ＩＰ電話機２０−１（２００）より自動応答された時のシーケンスを示している。この自動応答の条件は、ＮＯＴＩＦＹ（ＩＮＣ）メッセージを受信し、２００  ＯＫメッセージを送信してから一定時間経過後（タイムアウト）に自動で送信するようにすればよい。この時ＩＰ電話機２０−１（２００）からＩＮＶＩＴＥメッセージを送信する（Ｓ２０４）。ＳＩＰ電話機制御ボード２２は、このＩＮＶＩＴＥメッセージを受信すると、ＩＮＶＩＴＥメッセージを送信してきたＩＰ電話機２０−１（２００）に１００Ｔｒｙｉｎｇメッセージ（Ｓ２０７）、１８０Ｒｉｎｇｉｎｇメッセージ（Ｓ２０８）、２００  ＯＫメッセージを送信する（Ｓ２０９）。ＩＰ電話機２０−１（２００）は、２００  ＯＫメッセージを受信するとＳＩＰ電話機制御ボード２２に対してＡＣＴ（応答信号）を送信する（Ｓ２１０）。この時、ＳＩＰ電話機制御ボード２２は、ＩＰ電話機２０−１（２００）からのＩＮＶＩＴＥメッセージを受信した際に、中央制御装置１２０に片方向通話（一斉指令放送）の接続要求通知を送信し（Ｓ２０６）、ＩＰ電話機２０−１（２００）からのＡＣＴ（応答信号）を受信した時に片方向通話（一斉指令放送）の接続完了通知を行う（Ｓ２１１）。このＳＩＰ電話機制御ボード２２からの接続要求通知及び接続完了通知により、ＩＰ指令交換機１００は、該当する回線接続制御ボード１４−１（ＴＲＫ００１）とＳＩＰ電話機制御ボード２２（ＳＩＰＬ）の通話路バスを接続制御する。この時の通話路バスの接続は双方向通話の接続でもよいが、その場合にはＳＩＰ電話機制御ボード２２において、ＩＰ電話機２０−１（２００）からの音声情報のみを通話路へ送信しないようにする。
【００５６】
次に、双方向通話（一斉指令通話）となる場合は、ＩＰ電話機２０−１（２００）のシーケンスで示す通り、一定時間経過後、自動でＩＰ電話機２０−１（２００）からＮＯＴＩＦＹ（ＡＮＳ）メッセージが送信されると（Ｓ２１２）、ＳＩＰ電話機制御ボード２２は、該当するＩＰ電話機２０−１（２００）に対して２００  ＯＫメッセージを送信し（Ｓ２１４）、中央制御装置１２０に応答通知を送信する（Ｓ２１３）。前述したように、双方向通話の接続が行われている場合には、ＳＩＰ電話機制御ボード２２の音声情報の送受信を行うようにし、通話路バスの接続が片方向通話の接続の場合には、この時に通話路バスをＩＰ指令交換機１００間で双方向通話の接続に切り替えるようにしてもよい。
【００５７】
続いて、ＩＰ電話機２０−２（２０１）の場合について説明する。ＩＰ電話機２０−２（２０１）のシーケンスは、ＩＰ電話機２０−１（２００）のＩＮＶＩＴＥメッセージ（Ｓ２０１）、ＮＯＴＩＦＹ（ＡＮＳ）メッセージ（Ｓ２１２）の送信処理の起動要因が異なるものである。これは特定の時間経過で片方向通話（一斉指令放送）、双方向通話（一斉指令通話）が切り替わるのではなく、ＩＰ電話機２０−２（２０１）の利用者が、該当する一斉指令放送の着信が表示されているボタンを操作することで、それぞれ片方向通話（一斉指令放送）、双方向通話（一斉指令通話）への切り替えが行われる場合のシーケンスであり、各メッセージの送受信については自動の場合と同様の処理となる。この２つのパターンのうちどちらの運用で利用するかは、ＩＰ指令交換機１００の局データで設定すればよい。このように構成することで、一斉指令放送、一斉指令通話をそれぞれの指令卓１０、ＩＰ電話機２０の運用に合わせた利用方法で構成することができる。なお、自動応答の場合と、ボタン操作の場合とを、それぞれのＩＰ電話機２０毎に分けたシーケンスで説明しているが、片方向通話（一斉指令放送）のみを自動応答とし、双方向通話（一斉指令通話）をボタン操作とすることも、片方向通話（一斉指令放送）をボタン操作とし、双方向通話（一斉指令通話）を自動応答とすることも可能である。
【００５８】
以上の処理を行うことで、発信元の指令卓１０−１と着信先のＩＰ電話機２０−１，２０−２のスピーカ３の間に片方向通信路が確立され、一斉指令放送が開始される。つまり、指令卓１０からの音声情報が一斉指令放送として、発呼時に指定された指令グループに属する各ＩＰ電話機２０のスピーカ３から出力される。
【００５９】
本実施形態では、上記のように、ＩＰ電話機２０に対する発呼をＳＩＰ標準シーケンスのようにＩＮＶＩＴＥメッセージではなく、ＮＯＴＩＦＹ（ＩＮＣ）メッセージで行うことで、指令卓１０からの一斉指令放送に関わる発呼要求に対して複数のＩＰ電話機が同時に応答して同時に一斉指令放送を受信することができる。
【００６０】
なお、本実施形態では、指令卓１０とＩＰ通信指令交換機１００とは一般の電話網（ＰＴＳＮ）のプロトコルに従ってメッセージの送受信を行う例について説明する。しかし、指令卓１０とＩＰ通信指令交換機１００とをＩＰ網を介して接続し、指令卓１０とＩＰ通信指令交換機１００とがＳＩＰに従って通信を行ってもよい。この場合、例えば、指令卓１０は一斉指令放送に関する発呼を行う場合には、標準ＳＩＰシーケンスに従ってＩＮＶＩＴＥメッセージを利用してＩＰ通信指令交換機機１００に発呼要求を行い、そのＩＮＶＩＴＥメッセージに応じて、ＩＰ通信指令交換機１００が各ＩＰ電話機２０に対してＮＯＴＩＦＹ（ＩＮＣ）メッセージを送信することで、指令卓１０と各ＩＰ電話機２０との間に片方向通信路を確立することができる。
【００６１】
続いて、すでに一斉指令放送を受信中のＩＰ電話機が新たな指令卓から一斉指令放送を受信する場合について説明する。
【００６２】
図１４は、指令卓１０−１からの一斉指令放送を受信中のＩＰ電話機２０−１が新たに指令卓１０−２から一斉指令放送を行うための発呼をＩＰ通信指令交換機１００に対して行った場合の指令卓１０−２とＩＰ電話機２０−１との間のシーケンスを示す。
【００６３】
図１４において、指令卓１０−２からの発呼を網１２−２を介して回線接続制御ボード（ＴＲＫ００２）１４−２が検出すると、回線接続制御ボード１４−２は、回線中央制御装置１２０に着信通知を行う（Ｓ１１０）。着信検出メッセージを受けた中央制御装置１２０は、指令グループ番号、当該指令グループ番号に属するＩＰ電話機の内線番号、さらに当該内線番号に対応するＳＩＰ電話機制御ボードの収容位置を特定する。
【００６４】
次いで、中央制御装置１２０は、通話路スイッチ１１０を制御して、新たに、回線接続制御ボード１４−２とＳＩＰ電話機制御ボード２２との通話路を確立する。通話路の確立後、中央制御装置１２０は、特定したＩＰ電話機２０−１に対して着信があったことを通知するための回線状態通知（着信）メッセージをＳＩＰ電話機制御ボード２２に送信する（Ｓ１１２）。
【００６５】
回線状態通知（着信）メッセージを受信したＳＩＰ電話機制御ボード２２は、着信先のＩＰ電話機２０−１に対して、新たな一斉指令放送用の音声情報の通信路となる片方向通信路を確立するためのメッセージとして、ＮＯＴＩＦＹ（ＩＮＣ）メッセージを送信する（Ｓ１１４）。
【００６６】
ＮＯＴＩＦＹ（ＩＮＣ）メッセージを受けたＩＰ電話機２０−１は、ＮＯＴＩＦＹ（ＩＮＣ）メッセージに示された指令グループ番号と発信元番号とを特定し、特定した指令グループ番号に対応する指令ボタンのランプを着信表示し、ディスプレイに特定した発信元番号を表示する。さらに、ＩＰ電話機２０−１は、２００  ＯＫメッセージをＳＩＰ電話機制御ボード２２に送信する（Ｓ１１６）。ＳＩＰ電話機制御ボード２２がＩＰ電話機２０−１からの各２００  ＯＫメッセージの受信することで、ＳＩＰ電話機制御ボード２２とＩＰ電話機２０−１のスピーカ３との間にＩＰ網３０を介して新たな論理チャネルが確立される。また、ＳＩＰ電話機制御ボード２２−１，２２−２は、受信した２００  ＯＫメッセージのそれぞれに対応する着信完了通知メッセージを中央制御装置１２０に送信する（Ｓ１０８）。
【００６７】
以上の処理を行うことで、発信元の指令卓１０−２とＩＰ電話機２０−１のスピーカ３との間に新たな片方向通信路が確立される。
【００６８】
本実施形態では、複数の片方向通信路が確立された場合、ＩＰ電話機２０は各片方向通信路から受信した一斉指令放送の音声情報をミキシング回路２２０においてミキシングしたのち、スピーカ３から出力する。つまり、ＩＰ電話機２０のスピーカからは、複数の指令卓１０からの音声情報が合成されて出力される。
【００６９】
なお、複数の一斉指令放送がスピーカから出力される場合には、例えば、いずれかの一斉指令放送に対応する指令ボタンが押下されたことをＣＰＵ２１０が検知すると、ＣＰＵ２１０は、押下された指令ボタンに対応する一斉指令放送の音声情報が他の一斉指令放送の音声情報よりも大きい音で出力されるようにミキシング回路２２０を制御してもよい。
【００７０】
以上、本実施形態によれば、複数の指令卓から１台のＩＰ電話機に対して同時に一斉指令放送を行うことができる。
【００７１】
続いて、一斉指令放送を受信中のＩＰ電話機からの要求で一斉指令放送を送信中の指令卓との間に双方向通信路を確立し、指令卓とＩＰ電話機との間で通話を実現する手順について説明する。
【００７２】
図１５は、指令卓１０−１とＩＰ電話機２０−１，２０−２との間に片方向通信路が確立されている状態で、ＩＰ電話機２０−１から指令卓１０−１との通話要求がおこなれた場合のＩＰ通信指令交換機１００とＩＰ電話機２０−１，２０−２との間のシーケンスを示す。
【００７３】
図１５において、一斉指令放送中の指令グループに対応する指令ボタンが押下されたことに対応して、ＩＰ電話機２０−１がＩＰ通信指令交換機１００に対して、指令卓１０−１との通話要求を示すＩＮＶＩＴＥメッセージを送信する（Ｓ１４０）。当該ＩＮＶＩＴＥメッセージには、発呼元としてＩＰ電話機２０−１の内線番号、発信先としてＩＰ通信指令交換機１００に対応する番号、及び通話対象の指令グループの番号が少なくとも示されている。
【００７４】
ＩＮＶＩＴＥメッセージを受信したＳＩＰ電話機制御ボード２２は、ＩＰ電話機２０−１に対して１００  Ｔｒｙｉｎｇメッセージを送信するとともに（Ｓ１４２）、中央制御装置１２０に対してＩＰ電話機ＩＰ２０−２から受信したＩＮＶＩＴＥメッセージの内容を示した発呼メッセージを送信する（Ｓ１４４）。
【００７５】
発呼メッセージを受信した中央制御装置１２０は、ＳＩＰ電話機制御ボード２２に対して呼出メッセージ、応答メッセージ、回線状態通知（応答通知）メッセージを送信する（Ｓ１４６，Ｓ１５０，Ｓ１５８）。一方、ＳＩＰ電話機制御ボード２２は、受信した呼出メッセージに対して、１８３  ＰｒｏｇｒｅｓｓメッセージをＩＰ電話機２０−１に送信し、さらに、受信した応答メッセージに対して、２００  ＯＫメッセージをＩＰ電話機２０−１に送信する（Ｓ１４８，Ｓ１５２）。また、２００  ＯＫメッセージを受信したＩＰ電話機２０−１は、ＳＩＰ電話機制御ボード２２にＡＣＫメッセージを送信する（Ｓ１５４）。ＡＣＫメッセージを受信したＳＩＰ電話機制御ボード２２は、中央制御装置１２０に応答確認メッセージを送信する（Ｓ１５６）。
【００７６】
また、回線状態通知（応答通知）メッセージを受信したＳＩＰ電話機制御ボード２２は、回線状態通知（応答通知）メッセージの所定の部分からＮＯＴＩＦＹ（ＴＡＫ）メッセージのボディ部に記述する内容を抽出し、その内容をボディ部に記述したＮＯＴＩＦＹ（ＴＡＫ）メッセージを生成して、発呼元となるＩＰ電話機２０−１に送信する（Ｓ１６０）。ＮＯＴＩＦＹ（ＴＡＫ）メッセージのボディ部に記述される内容の一部は、図１３の（ｂ）に示すとおりである。
【００７７】
ＮＯＴＩＦＹ（ＴＡＫ）メッセージを受信したＩＰ電話機２０−１は、ＮＯＴＩＦＹ（ＴＡＫ）メッセージのボディ部の「Ｋｅｙ」に示されたボタン種別に対応するランプを自台使用中状態となるように点灯制御するとともに、ＳＩＰ電話機制御ボード２２にＡＣＫメッセージを送信し（Ｓ１６２）、ＩＰ電話機２０−１の送受話器１と指令卓１０−１との間に双方向通信路が確立され、指令卓１０−１との通話が可能となる。
【００７８】
一方、回線状態通知（応答通知）メッセージを受信したＳＩＰ電話機制御ボード２２は、指令グループに属する発呼元のＩＰ電話機２０−１以外の他のＩＰ電話機２０−２に対して、ＮＯＴＩＦＹ（ＵＳＥ）メッセージを送信する（Ｓ１６４）。図１３の（ｃ）にＮＯＴＩＦＹ（ＵＳＥ）メッセージのボディ部に示される内容の一部を示す。ＮＯＴＩＦＹ（ＵＳＥ）メッセージを受信したＩＰ電話機２０−２は、ＮＯＴＩＦＹ（ＵＳＥ）メッセージのボディ部の「Ｋｅｙ」に示されたボタン種別に対応するランプを他台使用中状態となるように点灯制御するとともに、ＳＩＰ電話機制御ボード２２にＡＣＫメッセージを送信する（Ｓ１６６）。
【００７９】
以上のシーケンスの通り、一斉指令放送中の指令グループに対応するＩＰ電話機の指令ボタンが押下されたことに対応して、ＩＰ電話機の送受話器と指令卓との間に双方向通信路が確立され、ＩＰ電話機と指令卓との通話が実現される。
【００８０】
なお、例えば、複数の指令卓から一斉指令放送を受信中のＩＰ電話機において、何れかの指令グループの指令卓との間で通話状態となった場合、ＩＰ電話機は、送受話器を通じて通話状態の指令卓との間で通話を行い、他の指令グループの指令卓から送信される一斉指令放送をスピーカを介して出力する。
【００８１】
また、図１５において、ＩＰ電話機２０−１が、通話の切断の要求を示すＢＹＥメッセージをＳＩＰ電話機制御ボード２２に送信すると（Ｓ１７０）、ＢＹＥメッセージを受信したＳＩＰ電話機制御ボード２２は、ＩＰ電話機２０−１に対して２００  ＯＫメッセージを送信するとともに（Ｓ１７２）、中央制御装置１２０に対して切断メッセージを送信する（Ｓ１７４）。切断メッセージを受信した中央制御装置１２０は、回線状態通知（開放通知）メッセージをＳＩＰ電話機制御ボード２２に送信するとともに（Ｓ１７６）、ＩＰ電話機２０−１と指令卓１０−１との間の双方向通信路を片方向通信路に切り替える。この切替により、ＩＰ電話機２０−１のスピーカからは再度指令卓１０−１の一斉指令放送の音声情報が出力される。また、ＳＩＰ電話機制御ボードは、回線状態通知（開放通知）メッセージを受けて、各ＩＰ電話機に図１３の（ｄ）に示すような内容がボディ部に示されたＮＯＴＩＦＹ（ＩＤＬ）メッセージを送信する。各ＩＰ電話機２０は、ＮＯＴＩＦＹ（ＩＤＬ）メッセージを受けて、自台使用中或いは他台使用中の状態から単なる一斉指令放送受信中の状態に指令ボタンのランプの点灯を切り替える。
【００８２】
以上の通り、本実施形態によれば、一斉指令放送中の指令グループに対応するＩＰ電話機の指令ボタンが押下されたことに対応して、ＩＰ電話機の送受話器と指令卓との間に双方向通信路が確立され、ＩＰ電話機と指令卓との通話が実現される。さらに、通話状態（自台使用中状態）の指令ボタンが再度押下されることで、双方向通信路から片方向通信路へ切り替えられ、ＩＰ電話機と指令卓との通話が切断されとともに、スピーカから切り替えられた片方向通信路を介して一斉指令放送の音声情報が出力される。
【００８３】
続いて、ＩＰ電話機２０から一斉指令放送の送信先の指令卓１０との通話の要求があった際の中央制御装置１２０の処理手順について図１６を参照して説明する。
【００８４】
図１６において、中央制御装置１２０は、ＳＩＰ電話機制御ボード２２から発呼メッセージを受信すると、その発呼メッセージに示された着番号から例えば上位２桁の番号を特番として抽出する（Ｓ３００）。中央制御装置１２０は、抽出した特番が予め定められた指令ボタン押下を示す特番か否かを判定する（Ｓ３０２）。判定の結果、指令ボタン押下を示す特番ではない場合には（ステップＳ３０２の判定結果、否定「Ｎ」）、一般の特番として通常の発信処理を実行する（Ｓ３０４）。
【００８５】
一方、指令ボタン押下を示す特番の場合には（ステップＳ３０２の判定結果、肯定「Ｙ」）、発呼メッセージの着番号から指令グループ番号を抽出し（Ｓ３０６）、指令グループ番号に対応する回線接続制御ボードの回線収容位置を図２に示すような回線接続制御ボード管理テーブルを参照して特定する（Ｓ３０８）。さらに、中央制御装置１２０は、図６に示すような回線収容位置状態テーブルを参照して、回線収容位置に対応する回線状態を特定する（Ｓ３１０）。
【００８６】
中央制御装置１２０は、特定した回線状態に基づいて発信・応答可能かどうかを判定する（Ｓ３１２）。つまり、回線状態が使用中かどうかを判定する。判定の結果、発信・応答不可能な場合には（ステップＳ３１２の判定結果が、否定「Ｎ」）、発信・応答処理不可として処理を終了する（Ｓ３１４）。一方、発信・応答可能な場合には（ステップＳ３１２の判定結果が、肯定「Ｙ」）、回線収容位置状態テーブルの該当する収容位置の回線状態を「使用中」に設定し（Ｓ３１６）、さらに回線収容位置状態テーブルの使用内線番号に、発呼メッセージの送信元のＩＰ電話機の内線番号を登録する（Ｓ３１８）。登録後、中央制御装置１２０は、下記に示す回線状態通知制御を実行する（Ｓ３２０）。
【００８７】
図１７は、中央制御装置１２０による回線状態通知制御の処理手順を示すフローチャートである。
【００８８】
図１７において、中央制御装置１２０は、まず指令グループ管理テーブルから回線状態の変更対象の指令グループに属する内線番号を抽出する（Ｓ４００）。さらに中央制御装置１２０は、抽出した内線番号ごとに回線状態通知情報、すなわち、内線番号ごとに応じてＮＯＴＩＦＹ（ＴＡＫ）メッセージ、ＮＯＴＩＦＹ（ＵＳＥ）メッセージ、或いはＮＯＴＩＦＹ（ＩＤＬ）メッセージのボディ部に記述する情報を生成し、それらの回線状態通知情報をＳＩＰ電話機制御ボードに通知する（Ｓ４０４）。以上の処理により、回線状態通知制御が実行される。
【００８９】
以上、本実施形態によれば、ＩＰ電話機に対する発呼をＳＩＰ標準シーケンスのようにＩＮＶＩＴＥメッセージではなく、ＮＯＴＩＦＹ（ＩＮＣ）メッセージで行うことで、指令卓からの一斉指令放送に関わる発呼要求に対して複数のＩＰ電話機が同時に応答して同時に一斉指令放送を受信することができる。
【００９０】
さらに、ＩＰ電話機に対する発呼をＮＯＴＩＦＹ（ＩＮＣ）メッセージで行うことで、複数の指令卓から同時に１台のＩＰ電話機に対して一斉指令放送を行うことができる。
【００９１】
また、一斉指令放送中の指令グループに対応するＩＰ電話機の指令ボタンが押下されたことに対応して、ＩＰ電話機の送受話器と指令卓との間に双方向通信路が確立され、ＩＰ電話機と指令卓との通話が実現される。
【産業上の利用可能性】
【００９２】
本発明によれば、指令卓との片方向通信路の確立指示を示すＮＯＴＩＦＹメッセージが複数のＩＰ電話機に送信され、複数のＩＰ電話機が当該ＮＯＴＩＦＹメッセージに応答することで、指令卓と複数のＩＰ電話機の各音声出力手段との間にそれぞれ片方向通信路が確立され、一斉指令放送が実現されるので、複数のＩＰ電話機が同時に同一の一斉指令放送を受信することができる。よって、本発明は、指令卓より指定された任意のＩＰ電話機に対して一斉指令放送を行う通信指令システム等に適用することができる。
【符号の説明】
【００９３】
１０    指令卓
１４    回線接続制御ボード（ＴＲＫ）
２０    ＩＰ電話機
２２    ＳＩＰ電話機制御ボード（ＳＩＰＬ）
１００  通信指令交換機
１１０  通話路スイッチ
１２０  中央制御装置
１２０  回線中央制御装置
１３０  記憶装置
１４０  制御バス
【図１】
2010177814.tif 000003
【図２】
2010177814.tif 000004
【図３】
2010177814.tif 000005
【図４】
2010177814.tif 000006
【図５】
2010177814.tif 000007
【図６】
2010177814.tif 000008
【図７】
2010177814.tif 000009
【図８】
2010177814.tif 000010
【図９】
2010177814.tif 000011
【図１０】
2010177814.tif 000012
【図１１】
2010177814.tif 000013
【図１２】
2010177814.tif 000014
【図１３】
2010177814.tif 000015
【図１４】
2010177814.tif 000016
【図１５】
2010177814.tif 000017
【図１６】
2010177814.tif 000018
【図１７】
2010177814.tif 000019
【図１８】
2010177814.tif 000020